(57)【要約】      （修正有）【課題】監視区域の複数のネットワークカメラ、多画面レイアウト情報、ネットワークカメラ中継装置と、複数の画像をクライアント画面に多画面表示するカメラ監視システムを提供する。【解決手段】ネットワークカメラ中継装置であって、カメラＩＰアドレスとポート番号及び送信側ＩＰアドレスに基づいて複数のカメラに順次接続するネットワーク接続手段と、接続された各カメラ画像データを順次所定格納領域に格納する記憶手段と、各カメラからの各画像データをウェブクライアント上の画面に配置するための多画面レイアウト情報を付加したウェブページをクライアントへ送出するウェブページ送出手段と、記憶手段から読み出された各画像データに多画面配置するためのカメラ位置情報等を付加してクライアントに送出する画像データ送出手段とを備える。【選択図】  図１
2008054061.tif 000002
【特許請求の範囲】
【請求項１】
監視区域を撮影する複数のネットワークカメラから圧縮した画像データを取得し、該画像データをウェブクライアントに送出するネットワークカメラ中継装置であって、
前記複数のネットワークカメラのＩＰアドレスとポート番号及び送信側ＩＰアドレスに基づいて複数のネットワークカメラに順次接続するためのネットワーク接続手段と、
接続された前記各ネットワークカメラに対して画像データを要求し得られた各ネットワークカメラから画像データを順次所定格納領域に格納する記憶手段と、
ウェブクライアントの要求に応じて、前記各ネットワークカメラからの各画像データをウェブクライアント上の画面に配置するための多画面レイアウト情報を付加したウェブページを該クライアントへ送出するウェブページ送出手段と、
前記記憶手段から読み出された各画像データに多画面表示するためのカメラ位置情報等を付加して前記クライアントに送出する画像データ送出手段とを備えることを特徴とするネットワークカメラ中継装置。
【請求項２】
監視区域を撮影する複数のネットワークカメラと、
該各ネットワークカメラから圧縮した画像データを取得し記憶装置に一時格納し、前記各ネットワークカメラの前記画像データと一画面に多画面表示するための多画面レイアウト情報を書き込んだウェブページと前記画像データとを送出するネットワークカメラ中継装置と、
前記ネットワークカメラ中継装置に、前記各ネットワークカメラからの画像をウェブクライアント上の画面に多画面表示する前記ウェブページを受信し、前記各ネットワークカメラからの画像データを要求して受信して多画面表示するウェブクライアントと
を備えることを特徴とするカメラ監視システム。
【請求項３】
前記ネットワークカメラ中継装置が、前記複数のネットワークカメラのＩＰアドレスとポート番号及び送信側ＩＰアドレスに基づいて複数のネットワークカメラに順次接続するためのネットワーク接続手段と、
接続された前記各ネットワークカメラに対して画像データを要求し各ネットワークカメラから得られた画像データを順次所定格納領域に格納する記憶手段と、
ウェブクライアントの要求に応じて、前記各ネットワークカメラからの各画像データをウェブクライアント上の画面に配置するための多画面レイアウト情報を付加したウェブページを該クライアントへ送出するウェブページ送出手段と、
前記記憶手段から読み出された各画像データに多画面表示するためのカメラ位置情報等を付加して前記クライアントに送出する画像データ送出手段とを備えることを特徴とする請求項２に記載のカメラ監視システム。
【請求項４】
前記ネットワークカメラ中継装置が、ＬＡＮ（Local Area Network）とＷＡＮ（Wide Area Network ）とに接続するネットワークインターフェースをそれぞれ備えることを特徴とする請求項２又は３に記載のカメラ監視システム。
【発明の詳細な説明】
【技術分野】
【０００１】
本発明は、監視区域を撮影する複数のネットワークカメラからの画像をウェブクライアント上の画面に多画面表示するためのネットワークカメラ中継装置及び監視区域からの複数の画像をウェブクライアント上の画面に多画面表示するカメラ監視システムに関する。
【背景技術】
【０００２】
図１１は、従来のカメラ監視システムに関し、複数のカメラ（ネットワークカメラ）１〜３とパーソナルコンピュータ（以下、ＰＣと称する）４とがネットワーク５に接続され、ＰＣ４は、図１２に示すように、各監視区域の複数のカメラ１〜３からの画像（ａ）〜（ｃ）（なお、（ｄ）は無表示）をディスプレイ４ａの一画面に多画面を表示した例を示している。カメラ１には、カメラ自動検索プロトコル（ＲＮＣＰ）が備えられ、同じネットワーク５に接続されているカメラ２，３のＩＰアドレスを取得して記録する。
【０００３】
続いて、カメラ監視システムの動作について図１３を参照し説明すると、カメラ１はネットワーク５に接続された他のカメラ２，３に検索メッセージを送出し（ステップＳ１）、カメラ２，３は返信メッセージを送出し、カメラ１は各カメラ２，３からの返信メッセージを検知し（ステップＳ２）、各カメラのＩＰアドレスを返信メッセージから取得して記録する（ステップＳ３）。カメラ１に対しＰＣ４からマルチ画面表示の要求があった場合（ステップＳ４）、カメラ１はカメラ台数が自己も含めて２台以上であるか否かを判断し（ステップＳ５）、ＮＯであれば、カメラ１の画像信号をＰＣ４に送出する（ステップＳ６）。一方、ステップＳ５において、ＹＥＳであれば、カメラ１はマルチ画面表示のレイアウト（分割モード）を設定し（ステップＳ７）、ＰＣ４はカメラの台数に応じた分割モード情報に基づいて各カメラ１〜３の画像を取得する指示を送出し（ステップＳ８）、各カメラ１〜３から画像信号を送出させ（ステップＳ９）、ＰＣ４のディスプレイ４ａの一画面に各カメラ１〜３の画像を一画面に表示し（ステップＳ１０）、多画面表示のための制御動作を終了する（ステップＳ１１）。（例えば、特許文献１参照）
【０００４】
【特許文献１】特開２００４−３０４６０２号公報
【発明の開示】
【発明が解決しようとする課題】
【０００５】
上記図１１に示すカメラ監視システムでは、特定カメラ（ネットワークカメラ）が他のカメラのＩＰアドレスを予め取得して記憶し、クライアントであるＰＣからの要求に応じて、各カメラのＩＰアドレスに基づき、ＰＣは各カメラからの画像信号を取得して多画面表示しており、特定カメラは、取り込んだ画像を圧縮処理や多画面表示のレイアウトを設定したり、さらに、多画面表示するための画像信号を各カメラから取得する指示情報をＰＣへ送出する等の処理を行っている。従って、特定カメラのプログラム処理の負荷が非常に大きくなる欠点があった。また、画像処理における規格の異なるカメラがネットワークに接続される場合には、その規格に合わせて、特定カメラ側の制御及び処理プログラムを変更しなければならず、扱い難いカメラ監視システムになるおそれがあった。
【０００６】
本発明は、上記課題に鑑みてなされたものであり、監視区域の複数のネットワークカメラからの画像をウェブクライアント上の画面に多画面表示するための多画面レイアウト情報及び画像データを送出するネットワークカメラ中継装置と、この装置を利用して複数の画像をウェブクライアント上の画面に多画面表示するカメラ監視システムを提供することを目的とする。
【課題を解決するための手段】
【０００７】
本発明は、上記課題を達成したものであり、請求項１の発明は、監視区域を撮影する複数のネットワークカメラから圧縮した画像データを取得し、該画像データをウェブクライアントに送出するネットワークカメラ中継装置であって、
前記複数のネットワークカメラのＩＰアドレスとポート番号及び送信側ＩＰアドレスに基づいて複数のネットワークカメラに順次接続するためのネットワーク接続手段と、
接続された前記各ネットワークカメラに対して画像データを要求し得られた各ネットワークカメラから画像データを順次所定格納領域に格納する記憶手段と、
ウェブクライアントの要求に応じて、前記各ネットワークカメラからの各画像データをウェブクライアント上の画面に配置するための多画面レイアウト情報を付加したウェブページを該クライアントへ送出するウェブページ送出手段と、
前記記憶手段から読み出された各画像データに多画面表示するためのカメラ位置情報等を付加して前記クライアントに送出する画像データ送出手段とを備えることを特徴とするネットワークカメラ中継装置である。
【０００８】
また、請求項２の発明は、監視区域を撮影する複数のネットワークカメラと、
該各ネットワークカメラから圧縮した画像データを取得し記憶装置に一時格納し、前記各ネットワークカメラの前記画像データとウェブクライアント上の画面に多画面表示するための多画面レイアウト情報を書き込んだウェブページと前記画像データとを送出するネットワークカメラ中継装置と、
前記ネットワークカメラ中継装置に、前記各ネットワークカメラからの画像をウェブクライアント上の画面に多画面表示する前記ウェブページを受信し、前記各ネットワークカメラからの画像データを要求して受信して多画面表示するウェブクライアントと
を備えることを特徴とするカメラ監視システムである。
【０００９】
また、請求項３の発明は、前記ネットワークカメラ中継装置が、前記複数のネットワークカメラのＩＰアドレスとポート番号及び送信側ＩＰアドレスに基づいて複数のネットワークカメラに順次接続するためのネットワーク接続手段と、
接続された前記各ネットワークカメラに対して画像データを要求し各ネットワークカメラから得られた画像データを順次所定格納領域に格納する記憶手段と、
ウェブクライアントの要求に応じて、前記各ネットワークカメラからの各画像データをウェブクライアント上の画面に配置するための多画面レイアウト情報を付加したウェブページを該クライアントへ送出するウェブページ送出手段と、
前記記憶手段から読み出された各画像データに多画面表示するためのカメラ位置情報等を付加して前記クライアントに送出する画像データ送出手段とを備えることを特徴とする請求項２に記載のカメラ監視システムである。
【００１０】
また、請求項４の発明は、前記ネットワークカメラ中継装置が、ＬＡＮ（Local Area Network）とＷＡＮ（Wide Area Network ）とに接続するネットワークインターフェースをそれぞれ備えることを特徴とする請求項２又は３に記載のカメラ監視システムである。
【発明の効果】
【００１１】
請求項１の発明では、監視区域を撮影する複数のネットワークカメラから圧縮した画像データを取得し、該画像データをウェブクライアントに送出するネットワークカメラ中継装置であって、
前記複数のネットワークカメラのＩＰアドレスとポート番号及び送信側ＩＰアドレスに基づいて複数のネットワークカメラに順次接続するためのネットワーク接続手段と、
接続された前記各ネットワークカメラに対して画像データを要求し得られた各ネットワークカメラから画像データを順次所定格納領域に格納する記憶手段と、
ウェブクライアントの要求に応じて、前記各ネットワークカメラからの各画像データをウェブクライアント上の画面に配置するための多画面レイアウト情報を付加したウェブページを該クライアントへ送出するウェブページ送出手段と、
前記記憶手段から読み出された各画像データに多画面表示するためのカメラ位置情報等を付加して前記クライアントに送出する画像データ送出手段とを備えることを特徴とするネットワークカメラ中継装置であるので、このようなネットワークカメラ中継装置を備えることによって、従来のように、複数のネットワークカメラの内の特定のネットワークカメラが撮像画像の圧縮を行い、他の各ネットワ−クカメラのＩＰアドレス（プライベートアドレス）を取得し、各ネットワークカメラからの画像データを取り込み、画像を多画面を表示する多画面レイアウト情報を書き込んだウェブページをウェブクライアントに送出する必要がなく、特定のネットワークカメラの負荷を軽減することができるし、複数のネットワークカメラの内、幾つかが、異なった画像データ形式による場合であっても、ネットワークカメラ中継装置の処理プログラムを修正すれば対応することが可能であり、特定のネットワークカメラのデータ処理部の修正をする必要がなく、特定のネットワークカメラに負荷を与えることがない利点がある。さらに、特定のネットワークカメラが故障すれば、監視区域の全ての画像を送出することができないといった危険性を排除することができる。具体的には、故障したネットワークカメラの画像のみが消え、他の画像は表示することができるので監視区域の監視業務に与える支障を最小限に抑えることができ、監視区域の複数の画像を多画面表示できるカメラ監視システムを構築する上で好ましい装置である。
【００１２】
また、請求項２の発明では、監視区域を撮影する複数のネットワークカメラと、
該各ネットワークカメラから圧縮した画像データを受信し記憶装置に一時格納し、前記各ネットワークカメラの前記画像データと一画面に多画面表示するための多画面レイアウト情報を書き込んだウェブページと前記画像データとを送出するネットワークカメラ中継装置と、
前記ネットワークカメラ中継装置に、前記各ネットワークカメラからの画像をウェブクライアント上の画面に多画面表示する前記ウェブページを受信し、前記各ネットワークカメラからの画像データを要求して取得して多画面表示するウェブクライアントとを備えることを特徴とするカメラ監視システムであるので、監視区域が複数箇所存在する場合、各監視区域の複数の画像をディスプレイ画面に多画面表示して監視することができ、監視者は監視区域の把握が容易となる利点がある。また、監視地点が複数ある監視区域が数カ所存在する場合、ディスプレイ画面に監視区域毎に多画面表示することができるし、一画面に表示した各監視区域毎にディスプレイを設けて多画面表示することも可能である。
【００１３】
また、請求項３の発明では、前記ネットワークカメラ中継装置が、前記複数のネットワークカメラのＩＰアドレスとポート番号及び送信側ＩＰアドレスに基づいて複数のネットワークカメラに順次接続するためのネットワーク接続手段と、
接続された前記各ネットワークカメラに対して画像データを要求し各ネットワークカメラから得られた画像データを順次所定格納領域に格納する記憶手段と、
ウェブクライアントの要求に応じて、前記各ネットワークカメラからの各画像データをウェブクライアント上の画面に配置するための多画面レイアウト情報を付加したウェブページを該クライアントへ送出するウェブページ送出手段と、
前記記憶手段から読み出された各画像データに多画面表示するためのカメラ位置情報等を付加して前記クライアントに送出する画像データ送出手段とを備えることを特徴とする請求項２に記載のカメラ監視システムであるので、監視区域が遠隔地であってもネットワークカメラ中継装置が監視区域の画像データを取得して、クライアントはネットワークカメラ中継装置に対して画像要求を行えば、ディスプレイ画面に多画面表示による監視画像を得ることができる利点がある。また、ウェブページ送出手段から送出される多画面レイアウト情報は、監視区域が多数存在する場合、複数のウェブページに分割し多画面を複数の多画面に分割して表示することも可能である。
【００１４】
また、請求項４の発明では、前記ネットワークカメラ中継装置が、ＬＡＮ（Local Area Network）とＷＡＮ（Wide Area Network ）とに接続するネットワークインターフェースをそれぞれ備えることを特徴とする請求項２又は３に記載のカメラ監視システムであるので、複数のネットワークカメラとＬＡＮを構成するネットワークカメラ中継装置がルータを介してＷＡＮに接続し、ネットワークカメラ群による監視区域が多数存在する場合、ハブを利用して監視区域を拡大することが可能であり、ＷＡＮ接続側にルータを配置しルーティングやフィルタリングを行うことによって、カメラ監視システムのセキュリティを高めることができる利点がある。
【発明を実施するための最良の形態】
【００１５】
以下、本発明に係るネットワークカメラ中継装置及びカメラ監視システムについて、図面を参照し説明する。先ず、図１はカメラ監視システムの一実施形態のブロック図であり、図２はネットワークカメラ中継装置の一実施形態のブロック図を示している。ネットワークカメラ中継装置はネットワークカメラからの画像データを取得し、多画面レイアウト情報と画像データとをウェブクライアントに送出する機能を有し、カメラ監視システムはウェブクライアントがネットワークカメラ中継装置に画像データを要求をして監視区域の画像を多画面表示する機能を有している。
【００１６】
図１では、監視区域にはネットワークカメラ１〜４（Ｃ１  〜Ｃ４  ）が設置され、ルータ１１を介してネットワークカメラ中継装置１０に接続されてＬＡＮ（Local Area Network）を構成している。ネットワークカメラ中継装置１０は、ルータ１１を介してＷＡＮ（Wide Area Network ）のネットワークＮに接続されている。パーソナルコンピュータ（以下、ＰＣと称する）１３はルータ１２を介してネットワークＮに接続されており、ネットワークカメラ中継装置１０がサーバであり、ＰＣ１３はネットワークカメラ中継装置１０に画像データを要求するクライアントの関係にある。因みに、ネットワークカメラ１〜４（Ｃ１  〜Ｃ４  ）とネットワークカメラ中継装置１０はネットワークカメラ１〜４（Ｃ１  〜Ｃ４  ）がサーバであり、ネットワークカメラ中継装置１０が画像データを要求するクライアントの関係にある。なお、ネットワークカメラ中継装置１０にはグローバルアドレスが付与されている。
【００１７】
ネットワークカメラ１〜４（Ｃ１  〜Ｃ４  ）は、カメラが撮影した画像を圧縮処理し、圧縮処理した画像データを一時記憶し、画像データをパケット化し、ＴＣＰ／ＩＰ（Transmission Control Protocol/Internet Protocol ）に則ってＬＡＮに送出する機能を有する。ネットワークカメラ中継装置１０へデータを送出する機能は、ネットワークインターフェース（図示を省略する）により行われ、ネットワークインターフェースではネットワークカメラ中継装置１０（クライアント）からの画像データの要求に応じて各ネットワークカメラ１〜４（Ｃ１  〜Ｃ４  ）のＩＰアドレス（プライベートアドレス）とポ−ト番号及び相手側のＩＰアドレス等をパケットに組み込んで画像データを送出する機能を有する。図３は、ネットワークカメラ１〜４（Ｃ１  〜Ｃ４  ）に付与されたＩＰアドレスとポ−ト番号を示しており、ネットワークカメラ中継装置１０では、図３のＩＰアドレスとポ−ト番号が登録され、各ネットワークカメラ１〜４（Ｃ１  〜Ｃ４  ）との接続に利用される。
【００１８】
ネットワークカメラ中継装置１０は、図２に示すように、中央処理装置（ＣＰＵ）１０ａと、制御プログラムやウェブページによる多画面レイアウト情報或いはネットワークカメラ１〜４（Ｃ１  〜Ｃ４  ）のＩＰアドレスとポ−ト番号等が格納されたフラッシュＲＯＭ１０ｂと、各ネットワークカメラ１〜４（Ｃ１  〜Ｃ４  ）からの画像データを格納するカメラ１〜４の画像記憶エリアｅ１〜ｅ４が設けられた記憶装置（ＳＤＲＡＭ）１０ｃとがバスラインに接続され、このバスラインにネットワークインターフェース１０ｄが接続され、ネットワークカメラ中継装置１０は、ネットワークインターフェース１０ｄからルータ１１を経て上記ＬＡＮ及びＷＡＮに接続されている。ネットワークインターフェース１０ｄは、上記ネットワークカメラ１〜４（Ｃ１  〜Ｃ４  ）で説明した同様の機能を有する。
【００１９】
ネットワークカメラ中継装置１０は、ネットワークカメラ１〜４（Ｃ１  〜Ｃ４  ）とＬＡＮを構成する場合、クライアントの関係にあり、図５のシーケンスに基づいて、ネットワークカメラ中継装置１０について説明すると、ネットワークカメラ中継装置１０は、先ず図３のネットワークカメラ情報（ＩＰアドレス、ポート番号）をフラッシュＲＯＭ１０ｂに格納し登録し、続いて図４のディスプレイ１３ａに表示する多画面レイアウト情報をフラッシュＲＯＭ１０ｂに格納し、ネットワークカメラ１〜４（Ｃ１  〜Ｃ４  ）のカメラ情報を登録し、さらに、複数のネットワークカメラからの画像データを多画面表示するための多画面レイアウト情報を登録し、ネットワークカメラ１〜４（Ｃ１  〜Ｃ４  ）とのＬＡＮを構築する。
【００２０】
また、ネットワークカメラ中継装置１０には、ＬＡＮ及びＷＡＮに接続するためのネットワークインターフェース１０ｄが設けられ、インターネットインターフェース１０ｄにはＴＣＰ／ＩＰに則ったデータ通信手段が設けられ、ネットワーク接続手段により各ネットワークカメラ１〜４（Ｃ１  〜Ｃ４  ）に接続し、ＰＣ１３のディスプレイ１３ａに表示する図４の多画面レイアウト情報をネットワークＮを介してウェブにウェブページを送出するウェブページ送出手段と画像データを送出する画像データ送出手段とを有し、ＣＰＵ１０ａはこれらの機能を制御している。
【００２１】
なお、多画面レイアウト情報とは、ネットワークカメラ１〜４（Ｃ１  〜Ｃ４  ）に対応する各画像を多画面表示するためのレイアウト情報であり、例えば、図４のディスプレイ１３ａのウエーブページの一画面における画像を配置する情報であり、同図では、カメラ１〜４はネットワークカメラ１〜４（Ｃ１  〜Ｃ４  ）の画像配置を示している。また、多画面表示レイアウト情報は、ネットワークカメラの台数が多い場合、ディスプレイの１画面に配置する画面数を多くすればよいし、１画面に多画面表示が困難な場合、複数のウエーブページを送出し２台のディスプレイの画面にそれぞれ多画面表示することも可能であり、このような画像表示情報がネットワークカメラ中継装置１０から送出される。
【００２２】
続いて、図６を参照し、ネットワークカメラ中継装置１０の画像データの取得動作について説明する。先ず、ステップＳ１にて、中継装置の電源を投入してステップＳ２に進む。ステップＳ２では、図３のネットワークカメラ情報（ＩＰアドレス及びポート番号）に基づいて、ネットワーク接続手段により、各ネットワークカメラ１〜４（Ｃ１  〜Ｃ４  ）に順次接続し、ステップＳ３にて、各ネットワークカメラ１〜４（Ｃ１  〜Ｃ４  ）に画像要求をし、ステップＳ４にて、各ネットワークカメラ１〜４（Ｃ１  〜Ｃ４  ）から送出される画像データを取得して記憶装置（ＳＤＲＡＭ）１０ｃの画像記憶エリアｅ１〜ｅ４に保存する。ネットワークカメラ中継装置１０は、ステップＳ３，Ｓ４を所定の周期で繰り返し実行し、ネットワークカメラ１〜４（Ｃ１  〜Ｃ４  ）から最新の画像データを画像記憶エリアｅ１〜ｅ４に保存し更新する。
【００２３】
次に、図７及び図８を参照し、ネットワークカメラ中継装置１０とＷＡＮ側のＰＣ１３との接続について説明する。この場合、先に説明したように、ネットワークカメラ中継装置１０がサーバであり、ＰＣ１３がクライアントの関係にあり、ＰＣ１３がネットワークカメラ中継装置１０に画像データの要求し、ネットワークカメラ中継装置１０から画像データを取得する。先ず、ＰＣ１３はＴＣＰ／ＩＰに則ってＩＰアドレス（グローバルアドレス）によりネットワークカメラ中継装置１０に接続する（ステップＳ１０）。続いて、ＰＣ１３はネットワークカメラ中継装置１０に多画面レイアウト情報を要求する（ステップＳ１１）。ネットワークカメラ中継装置１０は要求に応じてＰＣ１３に多画面レイアウトＷｅｂページを送信する（ステップＳ１２）。
【００２４】
続いて、ネットワークカメラ中継装置１０はネットワークカメラ１（Ｃ１  ）の最新画像の有無を確認し（ステップＳ１３）、存在する場合は、ステップＳ１４に進み、ネットワークカメラ１（Ｃ１  ）の最新画像をＰＣ１３へ送信し、ステップＳ１５に進む。また、ステップＳ１３にて、最新画像データが存在しないと判断された場合は、ステップＳ１５に進む。ステップＳ１５では、ネットワークカメラ２（Ｃ２  ）の最新画像の有無を確認し、最新の画像データが存在する場合は、ステップＳ１６に進み、ネットワークカメラ２（Ｃ２  ）の最新画像データをＰＣ１３に送信し、ステップＳ１７に進む。また、ステップＳ１５にて、最新の画像データが存在しないと判断された場合は、ステップＳ１７に進む。ステップＳ１７では、ネットワークカメラ３（Ｃ３  ）の最新画像の有無を確認し、最新の画像データが存在する場合は、ステップＳ１８に進み、ネットワークカメラ３（Ｃ３  ）の最新画像データをＰＣ１３に送信し、ステップＳ１９に進む。また、ステップＳ１７にて、最新の画像データが存在しないと判断された場合は、ステップＳ１９に進む。続いて、ステップＳ１９では、ネットワークカメラ４（Ｃ４  ）の最新画像の有無を確認し、最新の画像データが存在する場合は、ステップＳ２０に進み、ネットワークカメラ４（Ｃ４  ）の最新画像データをＰＣ１３に送信し、ステップＳ１３に戻る。また、ステップＳ１９にて、最新の画像データが存在しない場合は、ステップＳ１３に戻る。ＰＣ１３は制御プログラムに則って、ステップＳ１３からステップＳ２０の動作を所定の周期で繰り返し実行し、ＰＣ１３のディスプレイ１３ａに、最新の複数の画像（ネットワークカメラ１〜４（Ｃ１  〜Ｃ４  ）の画像データをウェブクライアント画面に多画面表示することができる。
【００２５】
本実施形態のカメラ監視システムでは、監視区域が複数箇所存在する場合、各監視区域の複数の画像を一画面表示して監視することができるし、また、監視地点が複数存在する監視区域が数カ所存在する場合、監視区域毎に一画面に多画面表示することができる。さらに、一画面を各監視区域に区分けし、区分けした画面領域毎に複数のディスプレイに多画面表示することも可能である。ネットワークカメラ中継装置１０は、これらの多画面レイアウト情報を記憶装置に格納し、要求に応じてＷＡＮのクライアントにウェブページとして送出することができる。また、ネットワークカメラ中継装置が複数のウェブページを送出してそれぞれのウェブページに多画面表示させることも可能である。多画面レイアウト情報は、監視者が要求する画面表示形態を作成し、ネットワークカメラ中継装置１０の記憶装置に記憶させて送出すれば、監視者が望む画面表示が可能であり、以て、監視区域の把握が容易な表示画面とすることができる。
【００２６】
次に、本発明の他実施形態について、図９及び図１０を参照して説明する。図９はカメラ監視システムのブロック図を示し、図１０はネットワークカメラ中継装置２０のブロック図を示している。図９の実施形態のカメラ監視システムは、図１との相違点が、ネットワークカメラ装置２０がハブ（ＨＵＢ）１４に接続されてネットワークカメラ中継装置２０に接続されている点である。図９，図１０において、ネットワークカメラ１〜４（Ｃ１  〜Ｃ４  ）がハブ１４に接続され、ハブ１４がネットワークインターフェース１８に接続され、ネットワークカメラ中継装置２０の他のネットワークインターフェース１９がルータ１５に接続されてネットワークＮに接続され、ネットワークＮにルータ１６を介してＰＣ１７が接続されている。ＰＣ１７はネットワークカメラ中継装置２０に画像データを要求するクライアントであり、ネットワークカメラ中継装置２０がサーバの関係にあり、ネットワークカメラ１〜４（Ｃ１  〜Ｃ４  ）とネットワークカメラ中継装置２０はネットワークカメラ１〜４（Ｃ１  〜Ｃ４  ）がサーバであり、ネットワークカメラ中継装置２０が画像データを要求するクライアントの関係にある。
【００２７】
また、ネットワークカメラ中継装置２０は、ネットワークインターフェイス１８がＬＡＮと接続され、ネットワークインターフェイス１９がＷＡＮと接続されており、ＣＰＵ２０ａ，フラッシュＲＡＭ２０ｂ，ＳＤＲＡＭ２０ｃは上記実施形態と略同様の機能を有している。また、ハブ１４は、周知のように、各機器のケーブルを集中して接続する中継器であって、ルーティング機能やフィルタリング機能を有しない。
【産業上の利用可能性】
【００２８】
本発明の活用例としては、監視区域をネットワークカメラで撮影した画像を遠隔地に中継して監視するためのネットワークカメラ中継装置及びカメラ監視システムとして利用することが可能である。
【図面の簡単な説明】
【００２９】
【図１】本発明に係るカメラ監視システムの一実施形態を示すブロック図である。
【図２】本発明に係るネットワークカメラ中継装置の一実施形態を示すブロック図である。
【図３】本実施形態におけるネットワークカメラのＩＰアドレスとポート番号の一例を示す図である。
【図４】本実施形態におけるディスプレイの多画面表示の一例を示す図である。
【図５】本実施形態におけるネットワークカメラ中継装置の概略初期設定のシーケンスを示す図である。
【図６】本実施形態におけるネットワークカメラ中継装置の画像データを取得するためのシーケンスを示す図である。
【図７】本実施形態におけるカメラ監視システムの動作を説明するための図である。
【図８】本実施形態のカメラ監視システムにおけるパーソナルコンピュータが画像データを取得するフローチャートを示す図である。
【図９】本発明の他の実施形態のカメラ監視システムを示すブロック図である。
【図１０】本発明に係るネットワークカメラ中継装置の他の実施形態を示すブロック図である。
【図１１】従来のカメラ監視システムを示すブロック図である。
【図１２】従来の多画面表示を示す図である。
【図１３】従来のカメラ監視システムにおける画像要求を説明するためのフローチャートを示す図である。
【符号の説明】
【００３０】
Ｃ１〜Ｃ４    ネットワークカメラ装置１〜４
Ｎ  インターネット
１０，２０  ネットワークカメラ中継装置
１１，１２，１５，１６  ルータ
１３，１７  パーソナルコンピュータ（ウェブクライアント）
１３ａ  ディスプレイ
１４  ハブ（ＨＵＢ）
【図１】
2008054061.tif 000003
【図２】
2008054061.tif 000004
【図３】
2008054061.tif 000005
【図４】
2008054061.tif 000006
【図５】
2008054061.tif 000007
【図６】
2008054061.tif 000008
【図７】
2008054061.tif 000009
【図８】
2008054061.tif 000010
【図９】
2008054061.tif 000011
【図１０】
2008054061.tif 000012
【図１１】
2008054061.tif 000013
【図１２】
2008054061.tif 000014
【図１３】
2008054061.tif 000015